【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
液晶ディスプレー装置を駆動する方法で、
周囲温度を特定することと、
複数のオーバドライブ・パラメータを含むルックアップ表からオーバドライブ・パラメータを抽出することで、各オーバドライブ・パラメータは第1フレームおよび第2フレーム間のグレーレベル遷移に対応し、グレーレベル遷移に対し望ましい応答時間を達成するために液晶が駆動されるレベルを表すことと、
温度適応アルゴリズムをルックアップ表から抽出されたオーバドライブ・パラメータに適用し、特定周囲温度および抽出されたオーバドライブ・パラメータが較正される基準温度間の差に対し調節する適応オーバドライブ・パラメータを決定することと、
を含むことを特徴とする液晶ディスプレー装置を駆動する方法。
【請求項２】
温度適応アルゴリズムにより決定された適応オーバドライブ・パラメータは特定周囲温度で較正されたオーバドライブ・パラメータに近似することを特徴とする請求項1に記載の液晶ディスプレー装置を駆動する方法。
【請求項３】
温度適応アルゴリズムにより決定された適応オーバドライブ・パラメータは得られたグレーレベル遷移エラーの約95%を超えて「最小弁別値」（JND）の閾値未満に維持する応答時間を達成することを特徴とする請求項1に記載の液晶ディスプレー装置を駆動する方法。
【請求項４】
ルックアップ表は複数の開始グレーレベルを複数の目標グレーレベルにマップすること含み、各オーバドライブ・パラメータは1つの開始グレーレベルおよび1つの目標グレーレベル間のグレーレベル変動に対応し、開始グレーレベルおよび目標グレーレベルはゼロ（0）と1の間で正規化されることを特徴とする請求項1に記載の液晶ディスプレー装置を駆動する方法。
【請求項５】
温度適応アルゴリズムは適応オーバドライブ・パラメータＭT1（ｉ，ｊ）を次の方程式、
【数１】
2008242458.tif 000001
に従い計算し、式（１）中のＭT0（ｉ，ｊ）は開始グレーレベルｉおよび目標グレーレベルｊのルックアップ表から抽出されるオーバドライブ・パラメータで、Ｄ（ｉ，ｊ）は特定周囲温度および基準温度間の差を補正する補正パラメータであることを特徴とする請求項４に記載の液晶ディスプレー装置を駆動する方法。
【請求項６】
温度適応アルゴリズムはさらにＤ（ｉ，ｊ）を次の式（２）、
【数２】
2008242458.tif 000002
に従い計算し、式（２）中のα、Ｔ０およびＴ１は度で測定され、αは定数、Ｔ０は基準温度を表し、Ｔ１は特定周囲温度を表し、ｆ（ｉ，ｊ）は開始グレーレベルｉおよび目標グレーレベルｊの関数であることを特徴とする請求項５に記載の液晶ディスプレー装置を駆動する方法。
【請求項７】
Ｄ（ｉ，ｊ）の計算はさらに、
【数３】
2008242458.tif 000003
式（３）を含み、
式（３）中のｋ1、ｋ2、ｋ3およびｋ4は定数であり、
【数４】
2008242458.tif 000004
式（４）中のαrおよびαfは度で測定される定数であることを特徴とする請求項６の液晶ディスプレー装置を駆動する方法。
【請求項８】
ｋ1、ｋ2、ｋ3、ｋ4、αrおよびαfは各々独自の液晶ディスプレー装置に対しカスタム化でき、温度適応アルゴリズムと、各温度における較正を用いて得られた実際のルックアップ表との間のエラーを最小化することにより決定されることを特徴とする請求項７の液晶ディスプレー装置を駆動する方法。
【請求項９】
液晶ディスプレー内の温度変動を補正するシステムで、
周囲温度を測定するよう構成される温度センサと、
複数のオーバドライブ・パラメータを含むルックアップ表を格納するよう構成されるメモリで、各オーバドライブ・パラメータは先行フレームおよび後続フレーム間のグレーレベル遷移に対応し、グレーレベル遷移に対し望ましい応答時間を達成するために液晶が駆動されるレベルを表し、ルックアップ表のオーバドライブ・パラメータは基準温度で較正されるメモリと、
ルックアップ表から先行フレームおよび後続フレーム間のグレーレベル遷移に対応するオーバドライブ・パラメータを抽出するよう構成され、さらに測定周囲温度および抽出されたオーバドライブ・パラメータが較正される基準温度間の差を調節する適応オーバドライブ・パラメータを計算するよう構成されるプロセッサと、
を含むことを特徴とする液晶ディスプレー内の温度変動を補正するシステム。
【請求項１０】
ビデオ信号を赤・青・緑（RGB）から輝度・帯域・クロミナンス（YUV）の色空間に変換するよう構成される第1変換モジュールで、プロセッサの入力に連結される入力を有する第1変換モジュールと、
ビデオ信号をYUVからRGBの色空間に変換するよう構成される第2変換モジュールで、プロセッサの出力に連結される入力を有する第2変換モジュールと、
を含むことを特徴とする請求項９に記載の液晶ディスプレー内の温度変動を補正するシステム。
【請求項１１】
第2変換モジュールの出力を表示するよう構成される液晶ディスプレーを含むことを特徴とする請求項１０に記載の液晶ディスプレー内の温度変動を補正するシステム。
【請求項１２】
プロセッサはさらにルックアップ表のデータを補間することによりプロセッサが使用するメモリ帯域を最小化するメモリ最適化実施を用いるよう構成されることを特徴とする請求項９に記載の液晶ディスプレー内の温度変動を補正するシステム。
【請求項１３】
ルックアップ表は複数の開始グレーレベルを複数の目標グレーレベルにマップすること含み、各オーバドライブ・パラメータは1つの開始グレーレベルおよび1つの目標グレーレベル間のグレーレベル変動に対応し、開始グレーレベルおよび目標グレーレベルはゼロ（0）と1の間で正規化されることを特徴とする請求項９に記載の液晶ディスプレー内の温度変動を補正するシステム。
【請求項１４】
液晶ディスプレー内の1つ以上の液晶に適用されるオーバドライブ・パラメータを決定するためのオーバドライブ・モジュールにおいて、温度変動を補正するためのオーバドライブ・パラメータを決定する方法を実施するよう構成されるコンピュータ・プログラム製品で、コンピュータ・プログラム製品はプロセッサにより実行されるとオーバドライブ・モジュールに、 
周囲温度を得させ、
複数のオーバドライブ・パラメータを含むルックアップ表からオーバドライブ・パラメータを抽出させ、各オーバドライブ・パラメータは第1および第2フレーム間のグレーレベル遷移に対応し、グレーレベル遷移に対し望ましい応答時間を達成するために液晶が駆動されるレベルを表し、ルックアップ表のオーバドライブ・パラメータは基準温度で較正され、
温度適応アルゴリズムをルックアップ表から抽出されたオーバドライブ・パラメータに適用して適応オーバドライブ・パラメータを決定させ、温度適応アルゴリズムは少なくとも周囲温度、基準温度、開始グレーレベル、および目標グレーレベルの関数であること、
を実施させるコンピュータ実行可能な命令を格納する1つ以上のコンピュータ読み取り可能な媒体含むことを特徴とするコンピュータ・プログラム製品。
【請求項１５】
各々異なった基準温度で較正され各々複数のオーバドライブ・パラメータを有する複数のルックアップ表を特定し、周囲温度に関係する温度で較正されるルックアップ表を選択する、命令を含むことを特徴とする請求項１４に記載のコンピュータ・プログラム製品。